(57)【特許請求の範囲】
【請求項１】
Ｘ線画像の撮影の目標として設定された線量値の指標を示す目標線量指標値に対する前記撮影における線量値の指標を示す撮影時線量指標値のずれを示す指標値である偏差指標値を算出する算出部と、
現在の目標線量指標値と前記偏差指標値の履歴とを表示させ、前記現在の目標線量指標値の修正を受け付ける表示制御部と、
を備えることを特徴とする線量管理システム。
【請求項２】
前記表示制御部によって表示された偏差指標値を選択する選択部をさらに備え、
前記表示制御部は、前記選択部によって選択された偏差指標値に関する撮影情報を表示するように制御することを特徴とする請求項１に記載の線量管理システム。
【請求項３】
前記表示制御部は、所定の期間における撮影条件ごとの偏差指標値の履歴を表示するように制御することを特徴とする請求項１又は２に記載の線量管理システム。
【請求項４】
前記撮影条件は、操作者、検出器、検査室及び検査部位のうち、少なくとも一つであることを特徴とする請求項３に記載の線量管理システム。
【請求項５】
前記撮影情報は、撮影条件及び撮影されたＸ線画像のうち、少なくとも一方を含むことを特徴とする請求項２に記載の線量管理システム。
【請求項６】
前記表示制御部は、Ｘ線画像が撮影される検査部位の撮影項目ごとに設定された前記目標線量指標値を一覧表示することを特徴とする請求項１〜５のいずれか一項に記載の線量管理システム。
【請求項７】
前記表示制御部は、前記目標線量指標値として、前記目標線量指標値の絶対値及び相対値のうち、少なくとも一方を一覧表示することを特徴とする請求項６に記載の線量管理システム。
【請求項８】
前記算出部は、前記偏差指標値の履歴情報に基づいて、前記目標線量指標値の変更候補値を算出し、
前記表示制御部は、前記算出部によって算出された変更候補値を表示させるように制御する請求項１〜７のいずれか一項に記載の線量管理システム。
【請求項９】
所定の期間内の偏差指標値の中から前記変更候補値の算出に用いる偏差指標値を選択するための選択操作を受け付ける選択操作受付部をさらに備え、
前記算出部は、前記選択操作受付部を介して選択された偏差指標値を用いて前記変更候補値を算出することを特徴とする請求項８に記載の線量管理システム。
【請求項１０】
前記表示制御部は、前記目標線量指標値の変更履歴を表示させるように制御する請求項１〜９のいずれか一項に記載の線量管理システム。
【発明の詳細な説明】
【技術分野】
【０００１】
本発明の実施形態は、線量管理システムに関する。
【背景技術】
【０００２】
従来、被曝の管理を目的として、線量に関する種々の情報の表示が求められている。例えば、国際電気標準会議（ＩＥＣ：International  Electrotechnical  Commission）によってＩＥＣ６２４９４−１として示された線量指標値（ＥＩ：Exposure  Index）及び偏差指標値（ＤＩ：Deviation  Index）の表示要求が知られている。ここで、線量指標値とは、画像の代表画素値（Ｖ）から求められた検出器入射線量（Ｄ）相当を示す値であり、異なるメーカーのシステムを使用した場合でも使用することができる統一した線量の指標である。また、偏差指標値とは、撮影ごとに得られる「ＥＩ」が「ＥＩT：Target  Exposure  Index（目標線量指標値）」に対してどれだけの変位を持っているかを示す指標値であり、「ＤＩ＝１０ｌｏｇ10（ＥＩ／ＥＩT）」によって求められる。なお、「ＥＩT」は、検査ごとに設定される意図した「ＥＩ」である。
【０００３】
上述したように線量に関する種々の情報の表示が求められている中、線量指標値、偏差指標値及び目標線量指標値を表示する技術としては、例えば、撮影が行われるごとに、線量指標値と偏差指標値とが算出され、撮影の結果として、算出された線量指標値及び偏差指標値と、目標線量指標値とが表示される技術が知られている。
【先行技術文献】
【特許文献】
【０００４】
【特許文献１】特開２００９−２６８８０１号公報
【発明の概要】
【発明が解決しようとする課題】
【０００５】
本発明が解決しようとする課題は、被曝の管理を効率よく行うことができる線量管理システムを提供することである。
【課題を解決するための手段】
【０００６】
実施形態の線量管理システムは、算出部と、表示制御部とを備える。算出部は、Ｘ線画像の撮影の目標として設定された線量値の指標を示す目標線量指標値に対する前記撮影における線量値の指標を示す撮影時線量指標値のずれを示す指標値である偏差指標値を算出する。表示制御部は、現在の目標線量指標値と前記偏差指標値の履歴とを表示させ、前記現在の目標線量指標値の修正を受け付ける。
【図面の簡単な説明】
【０００７】
【図１】図１は、第１の実施形態に係る線量管理システムの構成の一例を説明するための図である。
【図２】図２は、従来技術に係る検査部位を説明するための図である。
【図３】図３は、第１の実施形態に係るＸ線診断装置の構成の一例を示す図である。
【図４】図４は、第１の実施形態に係る目標線量指標値の表示例を示す図である。
【図５】図５は、第１の実施形態に係る目標線量指標値の表示例を示す図である。
【図６】図６は、第１の実施形態に係るＸ線診断装置による処理の手順を示すフローチャートである。
【図７Ａ】図７Ａは、第２の実施形態に係る偏差指標値の表示例を示す図である。
【図７Ｂ】図７Ｂは、第２の実施形態に係る偏差指標値の表示例を示す図である。
【図７Ｃ】図７Ｃは、第２の実施形態に係る偏差指標値の表示例を示す図である。
【図８】図８は、第２の実施形態に係る撮影情報の一例を示す図である。
【図９】図９は、第２の実施形態に係るＸ線診断装置による処理の手順を示すフローチャートである。
【図１０】図１０は、第２の実施形態に係るＸ線診断装置による処理の手順を示すフローチャートである。
【図１１Ａ】図１１Ａは、第３の実施形態に係る変更候補値の表示例を示す図である。
【図１１Ｂ】図１１Ｂは、第３の実施形態に係る偏差指標値の選択画像の一例を示す図である。
【図１１Ｃ】図１１Ｃは、第３の実施形態に係る偏差指標値の選択画像の一例を示す図である。
【図１２】図１２は、第３の実施形態に係る変更履歴の一例を示す図である。
【図１３】図１３は、第３の実施形態に係るＸ線診断装置による処理の手順を示すフローチャートである。
【発明を実施するための形態】
【０００８】
以下、添付図面を参照して、線量管理システムの実施形態を詳細に説明する。なお、以下では、線量管理システム上で実行される各処理をＸ線診断装置で実行する場合について説明するが、本実施形態で説明する処理は、線量管理システム上のいずれの装置において実行される場合であってもよい。
【０００９】
（第１の実施形態）
まず、第１の実施形態に係る画像表示システムの構成例について説明する。図１は、第１の実施形態に係る線量管理システム１の構成の一例を説明するための図である。図１に示すように、第１の実施形態に係る線量管理システム１は、Ｘ線診断装置１００と、画像保管装置２００と、ワークステーション３００と、端末装置４００とを有する。図１に例示する各装置は、例えば、病院内に設置された院内ＬＡＮ（Local  Area  Network）２により、直接的、又は間接的に相互に通信可能な状態となっている。例えば、線量管理システム１にＰＡＣＳ（Picture  Archiving  and  Communication  System）が導入されている場合、各装置は、ＤＩＣＯＭ（Digital  Imaging  and  Communications  in  Medicine）規格に則って、Ｘ線画像等を相互に送受信する。
【００１０】
画像保管装置２００は、医用画像を保管するデータベースである。例えば、画像保管装置２００は、Ｘ線診断装置１００から送信された画像データを記憶部に格納し、これを保管する。ここで、画像保管装置２００に保管された画像データは、患者ＩＤ、検査ＩＤ、装置ＩＤ、シリーズＩＤ等と対応付けて保管される。これにより、ワークステーション３００や端末装置４００は、患者ＩＤ、検査ＩＤ、装置ＩＤ、シリーズＩＤ等を用いた検索を行なうことで、必要な画像データを画像保管装置２００から取得することができる。
【００１１】
ワークステーション３００は、医用画像に対して画像処理を行なう画像処理装置である。具体的には、ワークステーション３００は、Ｘ線診断装置１００や画像保管装置２００から取得した画像データに対して種々の画像処理を行ない、表示画像を生成する。また、ワークステーション３００は、生成した表示画像を画像保管装置２００に送信する。なお、ワークステーション３００は、表示画像を画像保管装置２００に送信する際に、付帯情報として、例えば、患者ＩＤ、検査ＩＤ、装置ＩＤ、シリーズＩＤ等を送信する。
【００１２】
端末装置４００は、病院内に勤務する医師や検査技師に医用画像を閲覧させるための装置である。例えば、端末装置４００は、病院内に勤務する医師や検査技師により操作されるＰＣ（Personal  Computer）やタブレット式ＰＣ、ＰＤＡ（Personal  Digital  Assistant）、携帯電話等である。具体的には、端末装置４００は、画像保管装置２００から表示画像を取得し、取得した表示画像を表示モニタに表示する。この結果、観察者である医師や検査技師は、表示画像を閲覧することができる。
【００１３】
Ｘ線診断装置１００は、被検体にＸ線を照射して、被検体を透過したＸ線を検出してＸ線画像を生成する。ここで、Ｘ線診断装置１００においては、被検体単位での被曝の管理のみならず、装置単位、検査室単位、さらには、施設単位での被曝の管理が重要である。従って、上述したようなＩＥＣ６２４９４−１による線量指標値（ＥＩ：Exposure  Index）及び偏差指標値（ＤＩ：Deviation  Index）の表示要求が明文化されている。
【００１４】
しかしながら、従来のＸ線診断装置では、検査部位ごとに目標線量指標値を設定し、撮影後に線量指標値及び偏差指標値が表示されるだけであるため、装置単位、検査室単位、施設単位などの被曝の管理に手間がかかった。例えば、Ｘ線診断装置は、撮影のパラメータ設定を簡便に行えるように、検査部位（大分類）と検査部位（小分類）が定義され、操作者が、複数の検査部位（大分類）から特定の検査部位（大分類）を選ぶと、複数の検査部位（小分類）が表示され、この中から特定の検査部位（小分類）を選ぶとこれに対応する撮影パラメータ（Ｘ線条件、術式、検出器サイズ、Ｘ線焦点検出器間距離、患者検出器間距離、目標線量指標値、表示条件、出力条件など）が自動的に設定されるようになっている。
【００１５】
現在、Ｘ線診断装置においては、１つの検査部位（大分類）に含まれる検査部位（小分類）の数も、１つの検査部位（小分類）に対して設定する撮影パラメータの数もそれぞれ２０項目以上あることが普通であるので、上述したように自動で設定される仕組みにより操作者の作業は大きく軽減されている。また、各検査部位（小分類）に対して設定すべき撮影パラメータは多数あるため、１つの検査部位（小分類）ごとに１つの画面を使用して設定が行われる。このようにすることで、１つのパラメータ設定画面で１つの検査部位（小分類）に対する全パラメータを確認しながら、事前に設定することができる。
【００１６】
図２は、従来技術に係る検査部位を説明するための図である。図２においては、撮影パラメータの設定を行う際の検査部位の選択画面の一例を示す。例えば、従来のＸ線診断装置では、図２に示すように、「ＳＫＵＬＬ」、「ＣＨＥＳＴ」、「ＡＢＤ」、「ＳＰ」、「ＰＥＬＶＩ」、「ＵＰ  ＥＸＭ」、「ＬＯＷ」などで示されるタブで検査部位（大分類）が選択される。ここで、例えば、図２に示すように、「ＳＫＵＬＬ」のタブを選択すると、タブ内に「Ｒｅｇｉｏｎ１」〜「Ｒｅｇｉｏｎ２０」の検査部位（小分類）が表示される。
【００１７】
操作者は、表示された「Ｒｅｇｉｏｎ１」〜「Ｒｅｇｉｏｎ２０」の中から、所望の検査部位を選択する。例えば、操作者が表示された「Ｒｅｇｉｏｎ１」を選択すると、「Ｒｅｇｉｏｎ１」に対応するパラメータ設定画面が表示されることとなる。かかるパラメータ設定画面には、「Ｒｅｇｉｏｎ１」に関係するすべての撮影パラメータの設定領域が含まれており、この中に目標線量指標値も含まれている。
【００１８】
上述したように、目標線量指標値は、検査部位（小分類）ごとに設定される。従って、図２に示す選択画面を用いて目標線量指標値を設定しようとした場合、まず、タブで検査部位（大分類）を選択し、タブ内に含まれる複数の検査部位（小分類）から１つずつ検査部位（小分類）を選択して対応するパラメータ設定画面を都度表示させ、目標線量指標値を設定する。そして、１つのタブに含まれるすべての検査部位（小分類）について目標線量指標値を設定すると、タブを変えて同様の設定を行うこととなる。
【００１９】
従って、上述したような他の撮影パラメータと共に目標線量指標値を設定するパラメータ設定画面があるだけでは、検査部位ごとに設定された設定値が施設全体での線量管理の方針に合致しているかどうかを確認することが困難であり、これでは目標線量指標値を用いていても全撮影に対する線量管理へ十分に活かされない。また、単に撮影後の画面に目標線量指標値、線量指標値、偏差指標値を表示するだけでは、施設或いは検査室で行った撮影の偏差指標値の統計情報を得ることができないので、偏差指標値が大きかったりばらつきがあったりした場合にこれを改善するための役立つ情報を得ることができない。
【００２０】
さらに、目標線量指標値の初期値はメーカー出荷時等にファントムの撮影結果等に基づいて決められているため、据え付け後のＸ線診断装置で実際の人体を撮影すると偏差指標値がゼロから乖離する場合がある。その場合に、偏差指標値をゼロに近づけるように設定して撮影を行うと被検体の被曝線量が多くなってしまったり、或いは、逆に線量が少なくなり画質が期待より悪くなってしまったりする場合がある。このような場合には、目標線量指標値を再設定する必要があるが、再設定すべき値を決定することは簡単ではない。また、目標線量指標値の変更は被検体の被曝に関わることであるため、Ｘ線診断装置や施設を管理する管理者が意図して行う必要があり、変更の履歴があとからもわかる必要がある。
【００２１】
そこで、本実施形態に係るＸ線診断装置１００は、以下詳細に説明する構成により、被曝の管理を効率よく行うことを可能にする。具体的には、Ｘ線診断装置１００は、目標線量指標値、偏差指標値、線量指標値をシステム全体で管理可能とすることで、被曝の管理を効率よく行うことを可能にする。
【００２２】
図３は、第１の実施形態に係るＸ線診断装置１００の構成の一例を示す図である。図３に示すように、第１の実施形態に係るＸ線診断装置１００は、装置本体１１０と操作端末１２０とを備える。装置本体１１０は、図３に示すように、高電圧発生器１１と、Ｘ線管１２と、Ｘ線絞り装置１３と、天板１４と、Ｃアーム１５と、Ｘ線検出器１６と、Ｃアーム回転・移動機構１７と、天板移動機構１８と、支持機構制御部１９と、絞り制御部２０とを備える。操作端末１２０は、図３に示すように、システム制御部２１と、入力部２２と、表示部２３と、画像データ生成部２４と、データ記憶部２５と、画像処理部２６とを備える。
【００２３】
高電圧発生器１１は、システム制御部２１による制御の下、高電圧を発生し、発生した高電圧をＸ線管１２に供給する。Ｘ線管１２は、高電圧発生器１１から供給される高電圧を用いて、Ｘ線を発生する。
【００２４】
Ｘ線絞り装置１３は、絞り制御部２０による制御の下、Ｘ線管１２が発生したＸ線を、被検体Ｐの関心領域に対して選択的に照射されるように絞り込む。例えば、Ｘ線絞り装置１３は、スライド可能な４枚の絞り羽根を有する。Ｘ線絞り装置１３は、絞り制御部２０による制御の下、これらの絞り羽根をスライドさせることで、Ｘ線管１２が発生したＸ線を絞り込んで被検体Ｐに照射させる。なお、Ｘ線管１２と、Ｘ線絞り装置１３とをまとめてＸ線管装置とも呼ぶ。天板１４は、被検体Ｐを載せるベッドであり、図示しない寝台の上に配置される。なお、被検体Ｐは、装置本体１１０に含まれない。
【００２５】
Ｘ線検出器１６は、被検体Ｐを透過したＸ線を検出する。例えば、Ｘ線検出器１６は、マトリックス状に配列された検出素子を有する。各検出素子は、被検体Ｐを透過したＸ線を電気信号に変換して蓄積し、蓄積した電気信号を画像データ生成部２４に送信する。
【００２６】
Ｃアーム１５は、Ｘ線管１２、Ｘ線絞り装置１３及びＸ線検出器１６を保持する。Ｘ線管１２及びＸ線絞り装置１３とＸ線検出器１６とは、Ｃアーム１５により被検体Ｐを挟んで対向するように配置される。
【００２７】
Ｃアーム回転・移動機構１７は、Ｃアーム１５を回転及び移動させるための機構であり、天板移動機構１８は、天板１４を移動させるための機構である。支持機構制御部１９は、システム制御部２１による制御の下、Ｃアーム回転・移動機構１７及び天板移動機構１８を制御することで、Ｃアーム１５の回転や移動、天板１４の移動を調整する。絞り制御部２０は、システム制御部２１による制御の下、Ｘ線絞り装置１３が有する絞り羽根の開度を調整することで、被検体Ｐに対して照射されるＸ線の照射範囲を制御する。
【００２８】
画像データ生成部２４は、Ｘ線検出器１６によってＸ線から変換された電気信号を用いて画像データを生成し、生成した画像データをデータ記憶部２５に格納する。例えば、画像データ生成部２４は、Ｘ線検出器１６から受信した電気信号に対して、電流・電圧変換やＡ（Analog）／Ｄ（Digital）変換、パラレル・シリアル変換を行い、画像データを生成する。
【００２９】
そして、画像データ生成部２４は、生成した画像データからＸ線画像を生成して、生成したＸ線画像をデータ記憶部２５に格納する。データ記憶部２５は、画像データ生成部２４によって生成された画像データを記憶する。また、データ記憶部２５は、設定された検査部位ごとの目標線量指標値を記憶する。
【００３０】
画像処理部２６は、データ記憶部２５が記憶する画像データに対して各種画像処理を行う。例えば、画像処理部２６は、データ記憶部２５が記憶する時系列に沿った複数のＸ線画像を処理することにより、動画像を生成する。
【００３１】
入力部２２は、操作者から各種指示を受け付ける。例えば、入力部２２は、マウス、キーボード、ボタン、トラックボール、ジョイスティックなどを有する。入力部２２は、操作者から受け付けた指示を、システム制御部２１に転送する。例えば、入力部２２は、線量管理に関する種々の指示を受け付けて、システム制御部２１に転送する。表示部２３は、操作者の指示を受け付けるためのＧＵＩ（Graphical  User  Interface）や、データ記憶部２５が記憶する画像データなどを表示する。例えば、表示部２３は、線量管理に関する種々の情報を表示する。
【００３２】
システム制御部２１は、Ｘ線診断装置１００全体の動作を制御する。例えば、システム制御部２１は、入力部２２から転送された操作者の指示に従って高電圧発生器１１を制御し、Ｘ線管１２に供給する電圧を調整することで、被検体に対して照射されるＸ線量やＯＮ／ＯＦＦを制御する。また、例えば、システム制御部２１は、操作者の指示に従って支持機構制御部１９を制御し、Ｃアーム１５の回転や移動、天板１４の移動を調整する。また、例えば、システム制御部２１は、操作者の指示に従って絞り制御部２０を制御し、Ｘ線絞り装置１３が有する絞り羽根の開度を調整することで、被検体に対して照射されるＸ線の照射範囲を制御する。また、システム制御部２１は、操作者の指示に従って、画像データ生成部２４による画像データ生成処理や、画像処理部２６による画像処理、或いは解析処理などを制御する。また、システム制御部２１は、また、システム制御部２１は、画像保管装置２００やワークステーション３００などと通信を行い、装置本体１１０によって撮影されたＸ線画像を送信する。
【００３３】
ここで、システム制御部２１は、図３に示すように、表示制御部２１１と、画像情報取得部２１２と、算出部２１３と、表示情報生成部２１４とを有する。表示制御部２１１は、操作者の指示を受け付けるためのＧＵＩやデータ記憶部２５が記憶する画像などを、表示部２３のディスプレイに表示するように制御する。また、表示制御部２１１は、後述する表示情報生成部２１４によって生成される表示情報を表示部２３に表示するように制御する。なお、表示情報生成部２１４によって生成される表示情報の詳細については後述する。
【００３４】
画像情報取得部２１２は、線量指標値（ＥＩ：Exposure  Index）を算出するための情報を取得する。具体的には、画像情報取得部２１２は、Ｘ線検出器１６によって検出されたＸ線画像の代表画素値の情報を取得する。算出部２１３は、画像情報取得部２１２によって取得された代表画素値の情報に基づいて、予め保持している画素値から線量値への変換テーブルを利用して線量指標値を算出する。また、算出部２１３は、予め設定された目標線量指標値（ＥＩT：Target  Exposure  Index）と、算出した線量指標値とから偏差指標値（ＤＩ：Deviation  Index）を算出する。例えば、算出部２１３は、偏差指標値「ＤＩ＝１０ｌｏｇ10（ＥＩ／ＥＩT）」を算出する。表示情報生成部２１４は、表示制御部２１１の制御によって表示される種々の表示情報を生成する。具体的には、表示情報生成部２１４は、目標線量指標値、線量指標値及び偏差指標値を含む表示情報を生成する。
【００３５】
ここで、第１の実施形態に係るＸ線診断装置１００においては、複数の検査部位の情報に対する目標線量指標値を視認しやすく、かつ設定しやすい表示を行うことで、被曝の管理を効率よく行うことを可能にする。かかる場合には、表示情報生成部２１４が、複数の検査部位の撮影項目の目標線量指標値が含まれる表示情報を生成する。そして、表示制御部２１１が、生成された表示情報を表示部２３に表示させる。すなわち、表示制御部２１１は、Ｘ線画像が撮影される検査部位の撮影項目ごとに設定された目標線量指標値の情報を表示部に一覧表示する。
【００３６】
ここで、本実施形態に係る検査部位は、頭部、胸部、腹部、骨盤、腰椎など人体の部位の大まかな分類「検査部位（大分類）」と、撮影方法を含めた細かな分類「検査部位（小分類）」を含む。「検査部位（小分類）」としては、例えば、「単純撮影胸部立位正面(Ａ（Anterior）→Ｐ（Posterior)」や、「単純撮影胸部立位正面(Ａ→Ｐ)呼気時撮影」、「単純撮影胸部立位正面(Ｐ→Ａ)」、「単純撮影胸部立位正面(Ｐ→Ａ)呼気時撮影」などである。なお、以下では、「検査部位（小分類）」についてＡＰＣ項目と記す場合がある。以下、図４及び図５を用いて、第１の実施形態に係る目標線量指標値の表示例を説明する。図４及び図５は、第１の実施形態に係る目標線量指標値の表示例を示す図である。
【００３７】
例えば、表示制御部２１１は、図４に示すように、「頭部」、「胸部」、「腹部」、「脊柱部」で示す大分類の検査部位に含まれる、「Ｒｅｇｉｏｎ１」〜「Ｒｅｇｉｏｎ２０」で示す小分類の検査部位ごとの目標線量指標値「ＥＩT値」をグラフ及び絶対値によって一覧表示する。すなわち、表示情報生成部２１４は、各検査部位（小分類）の目標線量指標値をデータ記憶部２５から読み出し、大分類の検査部位ごとにまとめた目標線量指標値のグラフ及び絶対値の表示情報を生成して、表示制御部２１１に送ることで、表示部２３に表示される。
【００３８】
図４に示すように、大分類の検査部位ごとにそれぞれ小分類の検査部位の目標線量指標値がグラフ表示されることで、大分類の同一部位における目標線量指標値の違いを直観的に把握することができる。さらに、図４で示される目標線量指標値においては、入力部２２を介して任意に設定することができる。例えば、マウスなどのポインティングデバイスを用いて小分類の各検査部位である「Ｒｅｇｉｏｎ」ごとのグラフを操作することで、小分類の検査部位ごとの目標線量指標値を任意に変更することができる。また、キーボードなどの入力デバイスを用いて絶対値で示された目標線量指標値を任意に変更することもできる。ここで、目標線量指標値が変更されると、変更後の目標線量指標値がデータ記憶部２５に格納される。なお、図４に示す例は、あくまでも一例であり、情報のレイアウトなどは任意に変更することができる。
【００３９】
図４では、小分類の各検査部位の目標線量指標値を絶対値によって示す場合について説明した。しかしながら、実施形態はこれに限定されるものではなく、相対値によって示す場合であってもよい。例えば、表示制御部２１１は、図５の（Ａ）に示すように、大分類の検査部位について、標準となる目標線量指標値をそれぞれ絶対値で表示させる。そして、表示制御部２１１は、図５の（Ｂ）に示すように、大分類の検査部位ごとに、小分類の検査部位それぞれの目標線量指標値を、絶対値で示された標準の目標線量指標値に対する相対的な割合で示した情報を表示する。
【００４０】
例えば、表示情報生成部２１４は、大分類に設定された標準となる目標線量指標値に対する各小分類の検査部位に設定された目標線量指標値の割合を算出して、％で示した図５の（Ｂ）の情報を生成して、表示制御部２１１に送ることで、表示部２３に表示される。ここで、図５で示される目標線量指標値においては、入力部２２を介して任意に設定することができる。上述したように、第１の実施形態に係るＸ線診断装置は、小分類の検査部位ごとに設定された目標線量指標値を一覧で表示させ、それぞれの値に対する変更操作を受け付けることで、被曝の管理を効率よく行わせることを可能にする。
【００４１】
次に、図６を用いて、第１の実施形態に係るＸ線診断装置１００の処理について説明する。図６は、第１の実施形態に係るＸ線診断装置１００による処理の手順を示すフローチャートである。図６に示すように、第１の実施形態に係るＸ線診断装置１００においては、例えば、システムが起動されると（ステップＳ１０１肯定）、表示制御部２１１は初期画面を表示する（ステップＳ１０２）。そして、表示制御部２１１は、入力部２２を介して、ユーティリティ画面への移動操作を受け付けて、ユーティリティ画面を表示する（ステップＳ１０３）。
【００４２】
ここで、操作者は、ユーティリティ画面への移動操作を行う際にユーザＩＤやパスワードなどを入力することで目標線量指標値を変更可能な操作者であることを認証される。そして、表示制御部２１１が、入力部２２を介して、ユーティリティ画面から目標線量指標値管理画面への移動操作を受け付けて、目標線量指標値管理画面を表示部２３に表示させる（ステップＳ１０４）。そして、表示制御部２１１は、操作者に選択された部位のＡＰＣ項目の目標線量指標値を一覧表示させる（ステップＳ１０５）。
【００４３】
そして、目標線量指標値の変更操作を受け付けると（ステップＳ１０６肯定）、表示情報生成部２１４が変更後の表示情報を生成して、表示制御部２１１が生成された表示情報（目標線量指標値）を一覧表示させる（ステップＳ１０７）。続いて、表示制御部２１１は、終了操作を受け付けたか否かの判定を行う（ステップＳ１０８）。ここで、終了操作を受け付けていない場合には（ステップＳ１０８否定）、表示制御部２１１は、ステップＳ１０５に戻って、一覧表示を継続する。一方、終了操作を受け付けた場合には（ステップＳ１０８肯定）、Ｘ線診断装置１００は、処理を終了する。
【００４４】
上記したように、第１の実施形態によれば、表示制御部２１１は、Ｘ線画像が撮影される検査部位の撮影項目ごとに設定された目標線量指標値の情報を表示部２３に一覧表示する。従って、第１の実施形態に係るＸ線診断装置１００は、複数の目標線量指標値を同時に確認することができ、装置単位、検査室単位、施設単位での被曝の管理を効率よく行うことを可能にする。
【００４５】
また、第１の実施形態によれば、表示制御部２１１は、目標線量指標値の情報として、目標線量指標値の絶対値及び相対値のうち、少なくとも一方を一覧表示する。従って、第１の実施形態に係るＸ線診断装置１００は、操作者にとって比較しやすい情報を切り替えて表示することを可能にする。
【００４６】
また、第１の実施形態によれば、入力部２２は、目標線量指標値を変更するための変更操作を受け付ける。従って、第１の実施形態に係るＸ線診断装置１００は、目標線量指標値の一覧を見ながら、設定することを可能にする。
【００４７】
（第２の実施形態）
第１の実施形態では、目標線量指標値を一覧表示させ、それぞれ設定可能にする場合について説明した。第２の実施形態では、所定の期間の偏差指標値の履歴情報を表示する場合について説明する。なお、第２の実施形態においては、第１の実施形態と比較して、表示制御部２１１と、表示情報生成部２１４の処理内容が異なる。以下、これらを中心に説明する。
【００４８】
第２の実施形態に係る表示制御部２１１は、所定の期間における偏差指標値の履歴情報を表示部２３に表示するように制御する。具体的には、表示制御部２１１は、所定の期間における撮影条件ごとの偏差指標値の履歴を表示部２３に表示するように制御する。ここで、表示制御部２１１は、撮影条件として操作者、検出器、検査室及び検査部位のうち、少なくとも１つを用いる。第２の実施形態に係る表示情報生成部２１４は、所定の期間における偏差指標値の履歴情報を生成する。
【００４９】
以下、図７Ａ〜図７Ｃを用いて、偏差指標値の履歴情報の例について説明する。図７Ａ〜図７Ｃは、第２の実施形態に係る偏差指標値の表示例を示す図である。例えば、表示制御部２１１は、図７Ａに示すように、撮影条件に対応する検査部位（小分類）について、所定の期間における偏差指標値の履歴を表示する。一例を挙げると、表示制御部２１１は、「期間：２０１３／１０／１〜２０１３／１２／３」において、「撮影者：技師Ａ」によって撮影されたＸ線画像のうち、「検出器：ＦＰＤ＃００１」を用いて「検査室：第１検査室」で「検査部位：胸部、ＡＬＬ」に対応する１０個のＡＰＣ項目について、偏差指標値の履歴を示すグラフを表示する。また、図７Ａに示す偏差指標値の情報では、履歴ごとに偏差指標値の最大値「Ｍａｘ」と最小値「Ｍｉｎ」を表示することで偏差指標値の振れ幅などを一目で確認することができる。
【００５０】
ここで、期間などの撮影条件は、操作者によって任意に設定する（絞り込みをする）ことができる。すなわち、様々な条件の偏差指標値の履歴を簡単に表示させることができる。例えば、技師本人が自分の履歴を確認するためにつかってもよく、他の技師の履歴を確認する場合であってもよい。また、検出器ごとの履歴や、検査室ごとの履歴、検査部位ごとの詳細な履歴を確認することも可能である。
【００５１】
図７Ｂにおいては、「期間：２０１３／１０／１〜２０１３／１２／３」、「撮影者：ＡＬＬ」、「検出器：ＦＰＤ＃００１」、「検査室：第１検査室」、「検査部位：胸部、単純撮影胸部立位正面（Ａ→Ｐ）」で絞り込みをすることで、表示制御部２１１は、同一条件における技師ごとの履歴情報を表示させる。このように、技師間で比較することで、撮影者の傾向なども把握することが可能となる。
【００５２】
また、履歴情報は、図７Ａ及び図７Ｂに示すような時系列のグラフで示すだけではなく、偏差指標値の分布を示す情報であってもよい。例えば、表示制御部２１１は、図７Ｃに示すように、図７Ａと同一の絞り込みで、検査部位（小分類）ごとの偏差指標値の分布を示すグラフを表示する。例えば、表示制御部２１１は、入力部２２を介した操作者の切り替え操作によって図７Ａの情報と図７Ｃの情報とを切り替えて表示する場合であってもよい。
【００５３】
このように、偏差指標値の履歴情報を表示することで、偏差指標値のバラつきを容易に把握することができ、被曝の管理を効率よく行うことができる。ここで、第２の実施形態に係るＸ線診断装置１００では、図７Ａ〜図７Ｃに示す履歴情報から対応する撮影データを表示させることも可能である。具体的には、Ｘ線診断装置１００は、表示制御部２１１によって表示部２３に表示された偏差指標値を選択する選択部を有し、表示制御部２１１は選択部によって選択された偏差指標値に関する撮影情報を表示部２３に表示するように制御する。例えば、選択部としての入力部２２が、表示制御部２１１によって表示部２３に表示された偏差指標値を選択するための操作を受け付ける。表示制御部２１１は入力部２２によって受け付けられた偏差指標値に関する撮影情報を表示部２３に表示するように制御する。
【００５４】
以下、図７Ａに示す偏差指標値の履歴情報を用いて撮影情報を表示させる場合について説明する。例えば、操作者は、図７Ａに示す履歴情報を確認しながら、入力部２２を操作して、撮影情報を確認したい履歴情報を選択する（例えば、偏差指標値が異常値であると判断した場合に選択する）ことで、撮影条件データや画像データなどの撮影情報を表示させることができる。例えば、操作者は、図７Ａに示すグラフ上のデータポイントや、グラフの右側にボタンとして表示されているＭａｘボタンや、Ｍｉｎボタンをクリックすることで、対応する撮影情報を表示させることができる。
【００５５】
例えば、Ｍａｘボタンをクリックすることで、偏差指標値が最大値を示した撮影の撮影情報を表示させることができる。図８は、第２の実施形態に係る撮影情報の一例を示す図である。例えば、操作者が入力部２２を介して、撮影情報を表示させる履歴情報を選択すると、表示制御部２１１は、図８の左側に示すように、選択された履歴情報に対応する撮影の撮影条件データを表示する。例えば、表示制御部２１１は、画像ファイル名、検査日時、撮影日時、検査室名などの詳細な撮影条件データを表示部２３に表示させる。さらに、操作者が入力部２２を介して画像ファイル名がクリックされると、図８の右側に示すように、表示制御部２１１は、撮影されたＸ線画像を表示させる。
【００５６】
なお、上述した例では、入力部２２を介して操作者が選択した偏差指標値に関する撮影情報を表示部２３に表示する場合について説明した。しかしながら、実施形態はこれに限定されるものではなく、例えば、選択部としてのシステム制御部２１が、種々の情報に基づいて、偏差指標値を選択して、選択された偏差指標値に関する撮影情報が自動で表示される場合であってもよい。一例を挙げると、システム制御部２１が、偏差指標値の最大値と最小値を選択し、対応する撮影情報を自動で表示するように制御してもよい。
【００５７】
上述した例では、図７Ａに示す履歴情報から撮影情報を表示させる場合について説明したが、図７Ｂ及び図７Ｃに示す履歴情報からも同様に撮影情報を表示させることができる。例えば、図７Ｂに示す履歴情報においては、図７Ａと同様に、Ｍａｘボタン、Ｍｉｎボタン、或いは、データポイントをクリックすることで図８に示す撮影条件データを表示させることができる。また、図７Ｃに示す履歴情報では、分布を示すグラフ上のデータポイントをクリックすることで図８に示す撮影条件データを表示させることができる。このように、偏差指標値の履歴情報を表示するとともに、選択された履歴情報に対応する撮影条件データ及び画像データをさらに表示することで、被曝の管理をしやすくなるとともに、各履歴での撮影の状態を容易に把握することを可能にする。
【００５８】
次に、図９及び図１０を用いて第２の実施形態に係るＸ線診断装置１００の処理について説明する。図９及び図１０は、第２の実施形態に係るＸ線診断装置１００による処理の手順を示すフローチャートである。なお、図１０に示す処理は、図９のステップＳ２０８における処理の手順に相当する。
【００５９】
図９に示すように、第２の実施形態に係るＸ線診断装置１００においては、例えば、システムが起動されると（ステップＳ２０１肯定）、表示制御部２１１は初期画面を表示する（ステップＳ２０２）。そして、表示制御部２１１は、入力部２２を介して、ユーティリティ画面への移動操作を受け付けて、ユーティリティ画面を表示する（ステップＳ２０３）。
【００６０】
ここで、操作者は、ユーティリティ画面への移動操作を行う際にユーザＩＤやパスワードなどを入力することで目標線量指標値を変更可能な操作者であることを認証される。そして、表示制御部２１１が、入力部２２を介して、ユーティリティ画面から偏差指標値管理画面への移動操作を受け付けて、偏差指標値管理画面を表示部２３に表示させる（ステップＳ２０４）。そして、表示制御部２１１は、操作者に選択された範囲内のＡＰＣ項目の偏差指標値を時系列に履歴表示させる（ステップＳ２０５）。
【００６１】
そして、表示する偏差指標値の範囲の変更操作を受け付けると（ステップＳ２０６肯定）、表示情報生成部２１４は、変更後の範囲のＡＰＣ項目の偏差指標値を時系列に履歴表示させる。一方、変更操作を受け付けない場合には（ステップＳ２０６否定）、選択操作を受け付けたか否かを判定する（ステップＳ２０７）。ここで、選択操作を受け付けると（ステップＳ２０７肯定）、表示制御部２１１は、選択された偏差指標値に対応するデータを表示させる（ステップＳ２０８）。
【００６２】
一方、選択操作を受け付けていない場合（ステップＳ２０７否定）、表示制御部２１１は、終了操作を受け付けたか否かの判定を行う（ステップＳ２０９）。ここで、終了操作を受け付けていない場合には（ステップＳ２０９否定）、表示制御部２１１は、ステップＳ２０５に戻って、表示を継続する。一方、終了操作を受け付けた場合には（ステップＳ２０９肯定）、Ｘ線診断装置１００は、処理を終了する。
【００６３】
図１０に示すように、第２の実施形態に係るＸ線診断装置１００においては、例えば、選択操作を受け付けると（ステップＳ２０７肯定）、表示制御部２１１は、選択された偏差指標値に対応する撮影条件情報を表示させて（ステップＳ３０１）、画像表示操作を受け付けたか否かを判定する（ステップＳ３０２）。ここで、画像表示操作を受け付けた場合には（ステップＳ３０２肯定）、表示制御部２１１は、対応する画像を表示する（ステップＳ３０３）。
【００６４】
一方、画像表示操作を受け付けていない場合には（ステップＳ３０２否定）、表示制御部２１１は、データ表示の終了操作を受け付けたか否かを判定する（ステップＳ３０４）。ここで、データ表示の終了操作を受け付けていない場合には（ステップＳ３０４否定）、表示制御部２１１は、表示を継続する。一方、データ表示の終了操作を受け付けた場合には（ステップＳ３０４肯定）、表示制御部２１１は、ステップＳ２０９に戻って、終了操作を受け付けたか否かを判定する。
【００６５】
上記したように、第２の実施形態によれば、算出部２１３は、目標として設定された線量値を示す目標線量指標値と撮影時の線量指標値との変位を示す偏差指標値を算出する。表示制御部２１１は、所定の期間における偏差指標値の履歴情報を表示部２３に表示するように制御する。従って、第２の実施形態に係るＸ線診断装置１００は、履歴情報を容易に確認することができ、被曝の管理を効率よく行うことを可能にする。
【００６６】
表示制御部２１１は、所定の期間における撮影条件ごとの偏差指標値の履歴を表示部２３に表示するように制御する。従って、第２の実施形態に係るＸ線診断装置１００は、種々の状況における偏差指標値の履歴を確認することができ、被曝の状況を容易に把握することを可能にする。
【００６７】
撮影条件は、操作者、検出器、検査室及び検査部位のうち、少なくとも一つである。従って、第２の実施形態に係るＸ線診断装置１００は、種々の状況における偏差指標値の履歴を確認することを可能にする。
【００６８】
入力部２２は、表示制御部２１１によって表示部２３に表示された偏差指標値を選択するための操作を受け付ける。表示制御部２１１は入力部２２によって受け付けられた偏差指標値に関する撮影情報を表示部２３に表示するように制御する。従って、第２の実施形態に係るＸ線診断装置１００は、選択された偏差指標値が得られた撮影の詳細な情報を表示することを可能にする。
【００６９】
（第３の実施形態）
第３の実施形態では、目標線量指標値の変更（修正）候補を表示する場合について説明する。第３の実施形態においては、算出部２１３及び表示制御部２１１による処理が異なる。以下、これらを中心に説明する。
【００７０】
第３の実施形態に係る算出部２１３は、所定の期間における偏差指標値の履歴情報に基づいて、目標線量指標値の変更候補値を算出する。具体的には、第３の実施形態に係る算出部２１３は、履歴情報に含まれる偏差指標値の平均値を変更候補値として算出する。第３の実施形態に係る表示制御部２１１は、算出部２１３によって算出された変更候補値を表示部２３に表示させるように制御する。第３の実施形態に係る入力部２２は、所定の期間内の偏差指標値の中から変更候補値の算出に用いる偏差指標値を選択するための選択操作を受け付ける。
【００７１】
図１１Ａは、第３の実施形態に係る変更候補値の表示例を示す図である。例えば、表示制御部２１１は、図１１Ａに示すように、目標線量指標値の修正画像を表示する。一例を挙げると、表示制御部２１１は、偏差指標値の履歴を示す時系列のグラフとともに、「現在のＥＩT設定値」と、修正候補値（変更候補値）を表示する。ここで、修正候補値として算出される値は、例えば、時系列のグラフに含まれる偏差指標値の平均値が用いられる。
【００７２】
ここで、時系列のグラフに含まれる偏差指標値のなかから、修正候補値の算出に用いない値を選択することができる。例えば、操作者は、入力部２２を操作して、時系列のグラフ内の直線３１を用いて上限値を設定し、直線３２を用いて下限値を設定することで、修正候補値の算出に用いない値を選択する。例えば、操作者は、直線３１及び直線３２をグラフ上でスライドさせて上限値及び下限値を設定することで、グラフ上で大きく異なる値を修正候補値の算出に用いない異常値として選択し、図に示す除去ボタンをクリックすることで算出対象から除外する。
【００７３】
ここで、除去ボタンがクリックされると、算出部２１３が、除外された値以外の偏差指標値を平均した修正候補値を算出し、表示制御部２１１は、算出された値を図中の修正候補値の領域に表示させる。操作者は、表示された修正候補値が適切であると判断した場合には、ＯＫボタンをクリックすることで、修正候補値が新たな目標偏差指標値として設定される。一方、表示された修正候補値が適切ではないと判断した場合には、操作者は、入力部２２を介して修正候補値を修正してＯＫボタンをクリックすることで、新たな目標線量指標値を設定することができる。
【００７４】
ここで、修正候補値を算出するための上限値と下限値を設定するＧＵＩは、図１１Ａに示す直線３１及び直線３２だけに限られず、種々のものを用いることができる。例えば、図１１Ｂ及び図１１Ｃに示すＧＵＩを用いて上限値と下限値が設定される場合であってもよい。図１１Ｂ及び図１１Ｃは、第３の実施形態に係る偏差指標値の選択画像の一例を示す図である。
【００７５】
例えば、表示制御部２１１は、図１１Ｂに示すように、偏差指標値をヒストグラムで表示し、直線３３と直線３４を用いて修正候補値の算出に用いるデータ区間を設定する場合であってもよい。すなわち、直線３３よりも右側のデータと、直線３４の左側のデータが除外されることとなる。
【００７６】
また、例えば、表示制御部２１１は、図１１Ｃに示すように、操作者に選択された複数のＡＰＣ項目について同時に表示部２３に表示し、ＡＰＣ１１については、直線３５及び直線３６によって範囲が選択され、ＡＰＣ１２については、直線３７及び直線３８によって範囲が選択され、ＡＰＣ１３については、直線３９及び直線４０によって範囲が選択され、ＡＰＣ１４については、直線４１及び直線４２によって範囲が選択される。各ＡＰＣ項目について範囲が選択されると、算出部２１３がそれぞれの修正候補値を算出して、表示制御部２１１が同時に表示部２３に表示させる。操作者は、それらの修正候補値について個々に、或いは、一括して確認入力（ＯＫボタンクリック）を実行することで各ＡＰＣ項目の目標線量指標値が変更される。
【００７７】
上述したように、目標変更指標値が変更されると、算出部２１３が変更履歴をデータ記憶部２５に格納する。図１２は、第３の実施形態に係る変更履歴の一例を示す図である。例えば、算出部２１３は、図１２に示すように、部位ごとに、初期設定、変更１、変更２、変更３、変更４、変更５などを対応付けた変更履歴を格納する。ここで、図１２に示す部位はＡＰＣ項目を示し、初期設定は、装置の出荷時の目標線量指標値を示し、変更１〜変更５はその後の変更履歴を示す。
【００７８】
例えば、算出部２１３は、部位ごとに変更した日付を格納する。また、図示していないが、算出部２１３は、日付に加えて、変更後の目標線量指標値をさらに格納することも可能である。なお、図８においては、頭部と胸部の変更履歴のみが示されているが、実際には、全ての部位について同一画面に表示されるように設定してもよい。或いは、複数の画面に分けて図に示すＮＥＸＴボタンによりページめくりを行うようにしてもよい。
【００７９】
データ記憶部２５に格納された変更履歴は、操作者の操作に応じて任意のタイミングで表示される。例えば、ＡＰＣ項目ごとの撮影パラメータの設定画面に目標線量指標値の変更履歴読み出しボタンを配置して、当該ボタンがクリックされることで表示されるように設定してもよい。
【００８０】
次に、図１３を用いて第３の実施形態に係るＸ線診断装置１００の処理について説明する。図１３は、第３の実施形態に係るＸ線診断装置１００による処理の手順を示すフローチャートである。図１３に示すように、第３の実施形態に係るＸ線診断装置１００においては、例えば、修正モードであると（ステップＳ４０１肯定）、入力部２２は、修正対象となるＡＰＣ項目と期間を受け付ける（ステップＳ４０２）。表示制御部２１１は、入力部２２によって受け付けられたＡＰＣ項目及び期間の線量指標値又は偏差指標値を表示させる（ステップＳ４０３）。
【００８１】
ここで、修正候補値の算出に用いないデータの選択操作を受け付けると（ステップＳ４０４肯定）、算出部２１３が選択されたデータを除いたデータを用いて修正候補値を算出して、表示制御部２１１が修正候補値を表示する（ステップＳ４０５）。一方、修正候補値の算出に用いないデータの選択操作を受け付けないと（ステップＳ４０４否定）、算出部２１３がすべてのデータを用いて修正候補値を算出して、表示制御部２１１が修正候補値を表示する（ステップＳ４０６）。
【００８２】
その後、修正操作（ＯＫボタンのクリックなど）を受け付けると（ステップＳ４０７肯定）、算出部２１３は、新しい目標線量指標値を適用して（ステップＳ４０８）、変更履歴の情報をデータ記憶部２５に格納する（ステップＳ４０９）。一方、ステップＳ４０７で修正操作を受け付けなかった場合には（ステップＳ４０７否定）、Ｘ線診断装置１００は処理を終了する。
【００８３】
上記したように、第３の実施形態によれば、算出部２１３は、所定の期間における偏差指標値の履歴情報に基づいて、目標線量指標値の変更候補値を算出する。表示制御部２１１は、算出部２１３によって算出された変更候補値を表示部２３に表示させる。従って、第３の実施形態に係るＸ線診断装置１００は、履歴に応じて最適な目標線量指標値を設定することを可能にする。
【００８４】
また、第３の実施形態によれば、入力部２２は、所定の期間内の偏差指標値の中から変更候補値の算出に用いる偏差指標値を選択するための選択操作を受け付ける。算出部２１３は、選択操作受付部を介して選択された偏差指標値を用いて変更候補値を算出する。従って、第３の実施形態に係るＸ線診断装置１００は、異常な値を除外して新たな目標線量指標値を設定することを可能にする。
【００８５】
表示制御部２１１は、目標線量指標値の変更履歴を表示部２３に表示させるように制御する。従って、第３の実施形態に係るＸ線診断装置１００は、線量の管理を効率よく行うことを可能にする。
【００８６】
（第４の実施形態）
さて、これまで第１〜第３の実施形態について説明したが、上記した第１〜第３の実施形態以外にも、種々の異なる形態にて実施されてよいものである。
【００８７】
上述した実施形態においては、Ｘ線診断装置１００が各種処理を実行する場合について説明した。しかしながら、実施形態はこれに限定されるものではなく、例えば、ワークステーション３００や、端末装置４００が各種処理を実行する場合であってもよい。かかる場合には、図３に示すシステム制御部２１の構成をワークステーション３００や、端末装置４００が有し、上述した処理を実行する。
【００８８】
また、上述した実施形態では、Ｘ線診断装置１００による被曝の管理を行う場合を例に挙げて説明したが、実施形態はこれに限定されるものではなく、Ｘ線ＣＴ装置による被曝の管理を行う場合であってもよい。
【００８９】
また、第１の実施形態から第３の実施形態において説明した表示制御部２１１、画像情報取得部２１２、算出部２１３及び表示情報生成部２１４の機能は、ソフトウェアによって実現することもできる。例えば、表示制御部２１１、画像情報取得部２１２、算出部２１３及び表示情報生成部２１４の機能は、上記の実施形態において表示制御部２１１、画像情報取得部２１２、算出部２１３及び表示情報生成部２１４が行うものとして説明した処理の手順を規定したプログラムをコンピュータに実行させることで、実現される。このプログラムは、例えば、ハードディスクや半導体メモリ素子等に記憶され、ＣＰＵやＭＰＵ等のプロセッサによって読み出されて実行される。また、このプログラムは、ＣＤ−ＲＯＭ（Compact  Disc  −  Read  Only  Memory）やＭＯ（Magnetic  Optical  disk）、ＤＶＤ（Digital  Versatile  Disc）などのコンピュータ読取り可能な記録媒体に記録されて、配布され得る。
【００９０】
以上説明したとおり、実施形態によれば、本実施形態の線量管理システムは、被曝の管理を効率よく行うことを可能にする。
【００９１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９２】
１  線量管理システム
１００  Ｘ線診断装置
２１１  表示制御部
２１３  算出部
【図１】
0006494939.tif 000002
【図２】
0006494939.tif 000003
【図３】
0006494939.tif 000004
【図４】
0006494939.tif 000005
【図５】
0006494939.tif 000006
【図６】
0006494939.tif 000007
【図７Ａ】
0006494939.tif 000008
【図７Ｂ】
0006494939.tif 000009
【図７Ｃ】
0006494939.tif 000010
【図８】
0006494939.tif 000011
【図９】
0006494939.tif 000012
【図１０】
0006494939.tif 000013
【図１１Ａ】
0006494939.tif 000014
【図１１Ｂ】
0006494939.tif 000015
【図１１Ｃ】
0006494939.tif 000016
【図１２】
0006494939.tif 000017
【図１３】
0006494939.tif 000018